(57)【要約】【課題】同一室内に設置された表示装置から発信される広告に対して関心を持ったときに、広告内容が表示されているカードを容易に見つけ出すことができるとともに、狭いスペースにおける設置が容易な情報表示カード収容用ラック、及び、このラックに収容され、情報を迅速に認識することができる情報表示カード、並びに、この情報表示カードが収容された情報表示カード提供用具を提供する。【解決手段】本発明の情報表示カード収容用ラック（１Ｂ）は、一面側に広告の提供者の名称、連絡先及び業種が掲載された情報表示カード（２）を、一面側を正面として収容する収容部を複数備え、収容部の上方側が開口し且つ前面側（１８）が透明部材からなる。【選択図】図２
2008287103.tif 000002
【特許請求の範囲】
【請求項１】
文字、静止画及び動画から選ばれる少なくとも１種を用いて広告を発信する表示装置が配設された同一室内に配設されてなる情報表示カード収容用ラックであって、
一面側に前記広告の提供者の少なくとも名称、連絡先及び業種が掲載されている情報表示カードを、該一面側を正面として収容する収容部を複数備え、
前記収容部の上方側が開口し、且つ、前記収容部の前面側が透明部材からなることを特徴とする情報表示カード収容用ラック。
【請求項２】
前記収容部が、階段状且つ左右に組み合わされてなる請求項１に記載の情報表示カード収容用ラック。
【請求項３】
前記情報表示カードの前記一面側には、更に、前記提供者のロゴマークが掲載されている請求項１又は２に記載の情報表示カード収容用ラック。
【請求項４】
前記情報表示カードの他面側には、前記提供者の地図が掲載されている請求項１乃至３のいずれかに記載の情報表示カード収容用ラック。
【請求項５】
前記情報表示カードの前記他面側には、更に、前記提供者から与えられる特典内容が掲載されている請求項４に記載の情報表示カード収容用ラック。
【請求項６】
室内に設置された表示装置によって発信された広告が掲載された情報表示カードであって、該情報表示カードの一面側には、前記広告の提供者の名称、連絡先及び業種が掲載されていることを特徴とする情報表示カード。
【請求項７】
前記情報表示カードの前記一面側には、更に、前記提供者のロゴマークが掲載されている請求項６に記載の情報表示カード。
【請求項８】
前記情報表示カードの他面側には、前記提供者の地図が掲載されている請求項６又は７に記載の情報表示カード。
【請求項９】
前記情報表示カードの前記他面側には、更に、前記提供者から与えられる特典内容が掲載されている請求項８に記載の情報表示カード。
【請求項１０】
前記特典内容が、費用の割引である請求項９に記載の情報表示カード。
【請求項１１】
前記特典内容が、プレゼントの進呈である請求項９又は１０に記載の情報表示カード。
【請求項１２】
大きさが名刺サイズである請求項６乃至１１のいずれかに記載の情報表示カード。
【請求項１３】
請求項６乃至１２のいずれかに記載の情報表示カードが、請求項１乃至５のいずれかに記載の情報表示カード収容用ラックの収容部に前記一面側を正面として収容されてなることを特徴とする情報表示カード提供用具。
【請求項１４】
文字、静止画及び動画から選ばれる少なくとも１種を用いて広告を発信している表示装置の該広告を見た人が、前記情報表示カード提供用具から、該広告の提供者の名称が掲載されている情報表示カードを手にした後、該提供者のところへ該情報表示カードを持参してサービスを享受するために用いられる請求項１３に記載の情報表示カード提供用具。
【発明の詳細な説明】
【技術分野】
【０００１】
本発明は、情報表示カード及びそれを収容するためのラック並びに情報表示カード提供用具に関する。更に詳しくは、室内において、来客、通行人等によって見られる表示装置から発信された広告が掲載された情報表示カード及びそれを収容するラック、並びに、この情報表示カードが収容された情報表示カード提供用具に関する。
【背景技術】
【０００２】
従来、配布等により、任意に手にすることができる広告媒体として、チラシ、カタログ、パンフレット、ＣＤ−ＲＯＭ等が用いられている。これらは、例えば、所定形状のラック等に収容された状態で、通行人等の目の届くところに載置されている。
【０００３】
ところが、チラシやカタログをただ並べておいても、通行人等の興味や関心を引くことができない。そこで、映像等の表示が可能な表示器付広告ラック（複合広告装置）が提案されている（特許文献１及び２参照）。これらの複合広告装置は、宣伝用の広告映像や、ニュース、天気予報等を流すことによって、通行人等の興味や注意を引くことを可能にしている。
【０００４】
【特許文献１】特開平６−８９０７６号公報
【特許文献２】特開２００２−２７８４８７号公報
【発明の開示】
【発明が解決しようとする課題】
【０００５】
上記特許文献１及び２に開示された表示器付広告ラックによると、表示器と、チラシ等の媒体を収容するラック部分とが一体化していることから、設置するために広いスペースを要し、設置場所が制限されるといった問題があった。
本発明の目的は、同一室内に設置された表示装置から発信される広告に対して関心を持ったときに、広告内容が表示されているカードを容易に見つけ出すことができるとともに、狭いスペースにおける設置が容易な情報表示カード収容用ラック、及び、このラックに収容され、広告を迅速に認識することができる情報表示カード、並びに、この情報表示カードが収容された情報表示カード提供用具を提供することにある。
【課題を解決するための手段】
【０００６】
本発明は、以下に示される。
１．文字、静止画及び動画から選ばれる少なくとも１種を用いて広告を発信する表示装置が配設された同一室内に配設されてなる情報表示カード収容用ラックであって、一面側に前記広告の提供者の少なくとも名称、連絡先及び業種が掲載されている情報表示カードを、該一面側を正面として収容する収容部を複数備え、前記収容部の上方側が開口し、且つ、前記収容部の前面側が透明部材からなることを特徴とする情報表示カード収容用ラック。
２．前記収容部が、階段状且つ左右に組み合わされてなる上記１に記載の情報表示カード収容用ラック。
３．前記情報表示カードの前記一面側には、更に、前記提供者のロゴマークが掲載されている上記１又は２に記載の情報表示カード収容用ラック。
４．前記情報表示カードの他面側には、前記提供者の地図が掲載されている上記１乃至３のいずれかに記載の情報表示カード収容用ラック。
５．前記情報表示カードの前記他面側には、更に、前記提供者から与えられる特典内容が掲載されている上記４に記載の情報表示カード収容用ラック。
６．室内に設置された表示装置によって発信された広告が掲載された情報表示カードであって、該情報表示カードの一面側には、前記広告の提供者の名称、連絡先及び業種が掲載されていることを特徴とする情報表示カード。
７．前記情報表示カードの前記一面側には、更に、前記提供者のロゴマークが掲載されている上記６に記載の情報表示カード。
８．前記情報表示カードの他面側には、前記提供者の地図が掲載されている上記６又は７に記載の情報表示カード。
９．前記情報表示カードの前記他面側には、更に、前記提供者から与えられる特典内容が掲載されている上記８に記載の情報表示カード。
１０．前記特典内容が、費用の割引である上記９に記載の情報表示カード。
１１．前記特典内容が、プレゼントの進呈である上記９又は１０に記載の情報表示カード。
１２．大きさが名刺サイズである上記６乃至１１のいずれかに記載の情報表示カード。
１３．上記６乃至１２のいずれかに記載の情報表示カードが、上記１乃至５のいずれかに記載の情報表示カード収容用ラックの収容部に前記一面側を正面として収容されてなることを特徴とする情報表示カード提供用具。
１４．文字、静止画及び動画から選ばれる少なくとも１種を用いて広告を発信している表示装置の該広告を見た人が、前記情報表示カード提供用具から、該広告の提供者の名称が掲載されている情報表示カードを手にした後、該提供者のところへ該情報表示カードを持参してサービスを享受するために用いられる上記１３に記載の情報表示カード提供用具。
【発明の効果】
【０００７】
本発明の情報表示カード収容用ラックによれば、同一室内に設置された表示装置から発信される広告に対して関心を持ったときに、広告内容が表示されているカードを容易に見つけ出すことができるとともに、狭いスペースにおける設置が容易である。
前記収容部が階段状且つ左右に組み合わされてなる場合には、狭いスペースにおける設置を容易にでき、大量の情報表示カードを確認しやすい状態で収容することができる。
【０００８】
本発明の情報表示カードによれば、掲載されている広告の視認性に優れ、その利用により広告の提供者からのサービスを享受することができる。
本発明の情報表示カードの大きさが名刺サイズである場合には、携帯性に優れる。
【０００９】
本発明の情報表示カード提供用具によれば、室内に設置された表示装置によって発信された広告を見て興味を持った人が、この情報表示カード提供用具から、該広告の提供者の名称が掲載されている情報表示カードを容易に見つけ出すことができ、そのカードを手にした後、該提供者のところへ該情報表示カードを持参してサービスを享受することができる。
【発明を実施するための最良の形態】
【００１０】
本発明の情報表示カード、情報表示カード収容用ラック及び情報表示カード提供用具は、コンビニエンスストア、ドラッグストア、スーパーマーケット、レストラン等の店内、病院等の待合室等に、文字、静止画及び動画から選ばれる少なくとも１種を用いて広告を発信する表示装置とともに、同一室内に設置されるものである。
以下、本発明を更に詳しく説明する。
【００１１】
１．情報表示カード収容用ラック
本発明の情報表示カード収容用ラックは、文字、静止画及び動画から選ばれる少なくとも１種を用いて広告を発信する表示装置が配設された同一室内に配設されてなる情報表示カード収容用ラックであって、一面側に前記広告の提供者の少なくとも名称、連絡先及び業種が掲載されている情報表示カードを、該一面側を正面として収容する収容部を複数備え、前記収容部の上方側が開口し、且つ、前記収容部の前面側が透明部材からなることを特徴とする。
【００１２】
本発明の情報表示カード収容用ラックは、情報表示カードを収容する収容部を複数備えるが、この収容部は、横方向１列に配列してよいし（図１参照）、階段状に縦方向１列に配列していてもよい。また、これらの組合せ、即ち、横方向を２列以上として階段状に配列させてもよい（図２参照）。
図１に示される情報表示カード収容用ラック１Ａは、収容部を５箇所備える横方向１列型情報表示カード収容用ラックであり、背面板１１と、この背面板１１の表面（図面手前側）の下端部に、背面板１１に対して垂直に配設された底板１２と、背面板１１の表面（図面手前側）の両端に配設された側面板１４ａ及び１４ｂと、該側面板１４ａ及び１４ｂの間に等間隔となるように、底板１２の表面から４枚ずつ立設した仕切板１６ａ〜１６ｄと、背面板１１と平行であって、底板１２の手前側端面、仕切板１６ａ〜１６ｄの手前側端面、及び、側面板１４ａ及び１４ｂの手前側端面に配設された、前面板１８とを備える。図１に示される情報表示カード収容用ラック１Ａにおいて、収容部は、背面板１１と、底板１２と、側面板１４ａ又は１４ｂと、仕切板とから形成された空間、並びに、背面板１１と、底板１２と、隣り合う仕切板とから形成された空間である。
また、図２に示される情報表示カード収容用ラック１Ｂは、図１の情報表示カード収容用ラック１Ａを階段状に積み上げた構造を有する、収容部を１５箇所備える３段型階段状情報表示カード収容用ラックである。尚、この３段型階段状情報表示カード収容用ラック１Ｂにおいて、背面板１１は、最上段から最下段までの高さ分の大きさを有し、下から１段目（最下段）及び２段目における収容部の底面積が、最上段における収容部の底面積と同じとなるように、各奥行き長さを一定とするための奥壁１５が設けられている（図３参照）。図３は、図２におけるＸ−Ｘ線断面図であり、同じ大きさの仕切板１６を用い、下から１段目（最下段）及び２段目にそれぞれ奥壁１５を備えることで、各段の収容部の底面積を同一としている。
【００１３】
本発明の情報表示カード収容用ラックにおいては、上記収容部の前面側、即ち、収容部を形成する前面板１８が、透明部材からなっている。この前面板１８を透明部材とすることにより、収容部に収納された情報表示カードの表面における掲載内容が認識しやすくなる。尚、上記透明部材の構成材料としては、樹脂が好ましく、アクリル樹脂、ポリカーボネート樹脂、ポリアミド系樹脂、ポリオレフィン系樹脂等が挙げられる。これらのうち、特にアクリル樹脂が好ましい。
上記透明部材の透明性は、特に限定されない。従って、この透明部材は、目的、用途等に応じて、着色されていてもよい。
上記前面板１８の厚さは、透明性を損なわない限り、特に限定されないが、通常、１〜５ｍｍである。
尚、上記前面板１８以外の要素については、この前面板１８と同じ材料からなるものであってよいし、他の材料、例えば、金属（アルミニウム、ステンレス等）、木材等からなるものであってもよい。
【００１４】
上記の背面板１１、底板１２、側面板１４ａ及び１４ｂ、奥壁１５、仕切板１６ａ〜１６ｄ、前面板１８等は、目的（意匠性等）、用途等に応じて、情報表示カードが脱落しない程度の小さい貫通穴を備えてもよい。この貫通穴の形状及び大きさは、特に限定されない。
【００１５】
上記収容部に収容される情報表示カードは、一面側に、広告の提供者（個人又は法人）の名称、連絡先（電話番号、ファクシミリ番号、電子メールのアドレス、ホームページのアドレス等）及び業種（飲食関係、販売関係、医療関係等）が掲載されている。この面には、上記提供者のロゴマーク、代表者、主たる商品の写真、イラスト等が掲載されていてもよい。
また、上記情報表示カードの他面側は、白紙であってもよいが、例えば、上記提供者の所在地を示す地図、上記提供者から与えられる特典内容等が掲載されていてもよい。
【００１６】
２．情報表示カード
本発明の情報表示カードは、室内に設置された表示装置によって発信された広告が掲載された情報表示カードであって、該情報表示カードの一面側には、前記広告の提供者の名称、連絡先及び業種が掲載されていることを特徴とする。本発明の情報表示カードは、上記本発明の情報表示カード収容用ラックの収容部に、上記一面側を正面として収納するものである。
【００１７】
本発明の情報表示カードの形状及び大きさは、特に限定されない。形状としては、取り扱い、及び、上記本発明の情報表示カード収容用ラックの収容部への収納のし易さから、四角形であることが好ましい。また、大きさは、名刺サイズ〜葉書サイズが好ましいが、名刺サイズであることが特に好ましい。
【００１８】
本発明の情報表示カードの一面側には、広告の提供者の名称、連絡先（電話番号、ファクシミリ番号、電子メールのアドレス、ホームページのアドレス等）及び業種（飲食業、病院等）が掲載されている。この面には、上記提供者のロゴマーク、広告代理人（広告代理店等）の名称、上記情報表示カードの名称等が掲載されていてもよい。目的、用途等により、複数の言語、カラー表示等を利用することができる。
【００１９】
また、上記情報表示カードの他面側は、白紙であってもよいが、例えば、上記提供者の所在地を示す地図、上記提供者から与えられる特典内容等が掲載されていてもよい。
【００２０】
上記特典内容としては、費用の割引、プレゼントの進呈等が挙げられる。
【００２１】
３．情報表示カード提供用具
本発明の情報表示カード提供用具は、上記本発明の情報表示カードが、上記本発明の情報表示カード収容用ラックの収容部に収容されてなることを特徴とする。本発明において、情報表示カード２は、広告の提供者の名称、連絡先及び業種が掲載されている面が手前（正面）を向くように、情報表示カード収容用ラック１Ｂの収容部に収容されている（図２参照）。また、全ての情報表示カードの上記掲載面において、上記の広告提供者の名称、連絡先及び業種、又は、これら及びロゴマークが、所定の位置で構成されていることが好ましい。
【００２２】
本発明の情報表示カード提供用具は、以下のようにして設置され、使用される。
即ち、情報表示カード提供用具は、コンビニエンスストア、ドラッグストア、スーパーマーケット、百貨店、レストラン、地下街等の店内、通路、病院等の待合室等に、文字、静止画及び動画から選ばれる少なくとも１種を用いて広告を発信する表示装置とともに、同一室内に設置されている。情報表示カード提供用具及び表示装置は、いずれも、同一室内に複数設置されていてもよい。
情報表示カード提供用具及び表示装置の位置関係は特に限定されない。即ち、情報表示カード提供用具は、表示装置の画面が見える場所であってよいし、該画面が見えない場所であってもよい。この情報表示カード提供用具は、テーブル類（会計テーブル、情報告知用の掲示板等に隣接するテーブル等）、カウンター類等の上に設置される。
【００２３】
上記表示装置としては、好ましくは３７インチ以上のワイド型テレビモニターが用いられ、インターネット回線と接続されている。上記表示装置により放映される映像は、広告の提供者の依頼により、広告代理店が製作し、インターネット回線を通じて表示装置から映し出される。この映像は、広告１件あたり１５〜３０秒間放映され、天気予報、交通情報、災害情報、為替情報、地域情報、ニュース等公共性のある情報、広告代理人（広告代理店等）の名称、上記情報表示カードの名称等を間にはさみながら、複数の広告が連続的に放映される。広告の内容は、業種によって、選択されるが、飲食関係、販売関係等の場合には、例えば、営業時間、休店日、特売情報、会員募集情報、求人情報、イベント情報等であり、医療関係の場合には、開業時間、休診日、健康相談、医療情報等である。
尚、広告の費用は、広告提供者が与えるサービスの場における利用者数等に応じて、該広告提供者と、広告代理店との間で決められている。
【００２４】
上記飲食関係、販売関係、医療関係等の施設内において、表示装置からの広告を見て、その内容に興味、好感を抱いた人は、一面側に該広告の提供者の名称等が掲載されている情報表示カードが収容されている情報表示カード提供用具から、該情報表示カードを手にする。その後、該人は、広告提供者の連絡先、所在地を示す地図等に従って、該情報表示カードを持参しつつ上記広告提供者のところへ行き、そのサービスを享受することができる。上記情報表示カードの他面側に提供者から与えられる特典内容等が掲載されている場合には、該特典内容に基づくサービスを受けることもできる。
【実施例】
【００２５】
以下、本発明について、例を挙げて具体的に説明する。尚、以下の実施例においては、コンビニエンスストアの店内の角部の天井から吊り下げられて設置された、広告を発信する表示装置から、少なくとも広告映像と、広告代理店の名称（「ＸＹＺ」とする。）又は情報表示カードの名称（「ＸＹＺカード」とする。）とが放映されるものである（図６参照）。
【００２６】
実施例１（情報表示カード収容用ラック）
本実施例１の情報表示カード収容用ラックは、アクリル樹脂からなり、図３に示すような構造を有し、収容部を１５箇所備える３段型階段状情報表示カード収容用ラックである。この情報表示カード収容用ラック１Ｂは、すべて厚さ２ｍｍの板材からなり、背面板１１（縦４００ｍｍ×横３００ｍｍ）と、背面板１１の表面（図面手前側）の両端に配設された側面板１４ａ及び１４ｂと、背面板１１の表面（図面手前側）に、その下端から平行に１００ｍｍ間隔で３枚配設された底板１２と、名刺サイズの紙を縦置きにできるように、各底板から４枚ずつ等間隔（６０ｍｍ）に立設した仕切板１６と、背面板１１と平行であって、各底板の端面、仕切板１６の端面及び側面板の端面に配設された、３枚の前面板１８（縦４５ｍｍ×横３００ｍｍ）とを備える。尚、この３段型階段状情報表示カード収容用ラック１において、下から１段目及び２段目の収容部は、下から３段目（最上段）における収容部の底面積（底面の大きさ：約６０ｍｍ×約１００ｍｍ）が同じとなるように、各奥行き長さを１００ｍｍとするための奥壁１５が設けられている（図３参照）。また、下から１段目及び２段目の収容部の開口部のうち、上側開口部の寸法は、幅６０ｍｍ×奥行き約５０ｍｍとなっている。
上記情報表示カード収容用ラック１Ｂの背面板１１表面（図面手前側）の上部には、この情報表示カード収容用ラック１Ｂが、広告を発信する表示装置と関連していることを示すために、情報表示カードの名称「ＸＹＺカード」の表示がされている（図２に図示せず）。
【００２７】
実施例２（情報表示カード）
本実施例２の情報表示カードは、大きさが名刺サイズであり、図４及び図５に示される内容が印刷されている。図４に示す表面側２１には、広告の提供者の名称「ＡＢＣ医院」、業種名「歯医者」（日本語及び英語による表記）、連絡先（電話番号及びファクシミリ番号）及びロゴ（三重の楕円形）が掲載されている。また、この情報表示カードを上記情報表示カード収容用ラック内に収容したときに、ラックの前面板１８を通して、表示装置に表示された広告代理店の名称「ＸＹＺ」が確認できるように、情報表示カードの表面側２１の下部には、「ＸＹＺカード」と掲載されている。
更に、図５に示す裏面側２２には、広告の提供者の名称「ＡＢＣ医院」、業種名「歯医者」及び所在地を示す地図、並びに、享受できるサービス内容（図５では、通院回数に応じて費用の割引が受けられる内容とした。）が掲載されている。
【００２８】
実施例３（情報表示カード提供用具）
本実施例３の情報表示カード提供用具は、実施例２に係る情報表示カードが、図４が示す表面側２１を前面として、実施例１に係る情報表示カード収容用ラックの収容部に収容されてなるものである。この情報表示カード提供用具を正面から見ると、情報表示カードの表面側２１の掲載内容をすべて確認することができる。
【００２９】
上記情報表示カード提供用具１Ｂは、表示装置５と同様、コンビニエンスストアの店内における会計テーブル６上の角部に設置されている（図６参照）。
コンビニエンスストアに訪れた来店者（以下、「客」という。）は、店内で品定め等をしている際に、表示装置５が発信する広告映像（歯医者であるＡＢＣ医院に関する映像）を目にする。そして、客がその内容に興味、好感を抱くと、その前又は後に放映された広告代理店の名称「ＸＹＺ」あるいは情報表示カードの名称「ＸＹＺカード」により、情報表示カードに、広告提供者に関する詳細な情報（連絡先等）が掲載されていることを知ることができる。その後、客は、情報表示カード２が載置してある場所を確認し、情報表示カード提供用具１Ｂから取り出し、入手することができる。上記のように、情報表示カード２が収容された状態であっても、カードの表面側２１の掲載内容全てを容易に認識することができるので、面倒及び時間をかけずに、希望するカードを手にすることができる。表示装置が発信した広告映像に、共通する色、デザイン等が含まれており、それが、情報表示カードの表面側２１の掲載内容に含まれた場合には、より容易に手にすることができる。
【００３０】
上記情報表示カード２を入手した客は、そのカードの裏面側２２（図５）に掲載された地図に従い、また、このカードを持って、ＡＢＣ医院へ行き、治療を受ける。その後、会計の際には、カードの裏面側の中央部に掲載された特典を受けることができる。
この客が、上記特典とともに、ＡＢＣ医院に対する満足度が高かった場合には、コンビニエンスストアで知ることができる、表示装置及び情報表示カードによる情報への信頼性が一層高まる。そして、コンビニエンスストアの利用、及び、広告提供者の利用を更に促進することができる。一方、広告代理店は、情報表示カードの消費率と、広告提供者（ＡＢＣ医院）の利用率（情報表示カードの使用率）との関係を知ることができる。
【００３１】
尚、本発明は、上記実施例に何ら制約されるものではなく、目的、用途等に応じて、種々の態様を採用することができる。
【産業上の利用可能性】
【００３２】
本発明の情報表示カード及び情報表示カード収容用ラックを備える情報表示カード提供用具は、コンビニエンスストア、ドラッグストア、スーパーマーケット、百貨店、レストラン、地下街等の店内、通路、病院等の待合室等に、文字、静止画及び動画から選ばれる少なくとも１種を用いて広告を発信する表示装置とともに、同一室内に設置される。
【図面の簡単な説明】
【００３３】
【図１】本発明の情報表示カード収容用ラックの一例を示す概略斜視図である。
【図２】本発明の情報表示カード収容用ラックの他の例を示す概略斜視図であり、情報表示カードが収容されたことを示す図である。
【図３】図２におけるＸ−Ｘ線断面図である。
【図４】本発明の情報表示カードの一面側の一例を示す図である。
【図５】本発明の情報表示カードの他面側の一例を示す図である。
【図６】実施例３における表示装置及び情報表示カード収容用ラックが設置されたコンビニエンスストアの見取り図である。
【符号の説明】
【００３４】
１Ａ及び１Ｂ；情報表示カード収容用ラック
１１；背面板
１２；底板
１４ａ及び１４ｂ；側面板
１５；奥壁
１６，１６ａ〜１６ｄ；仕切板
１８；前面板
２；情報表示カード
２１；情報表示カードの一面側（表面）
２２；情報表示カードの他面側（裏面）
５；表示装置
６；会計テーブル
【図１】
2008287103.tif 000003
【図２】
2008287103.tif 000004
【図３】
2008287103.tif 000005
【図４】
2008287103.tif 000006
【図５】
2008287103.tif 000007
【図６】
2008287103.tif 000008